(57)【要約】【課題】  折畳み自転車用フレームで、前フレームを後ろフレームに重ね合わせるように二つに折り畳んだ際、自動的に前フレームと後ろフレームを締結状態にし、持ち運び及び保管の際に使いやすくすること。また、前フレームと後ろフレームを締結状態で自動的に施錠すること。更に、開錠する際に開錠がしやすいこと。【解決手段】  折り畳み自転車用フレームの回動連結具（ヒンジ）に反転防止機構（ラチエット機構）を施し、前フレームを後ろフレーム側に重ね合わせるように折り畳む動作をするだけで、前フレームと後ろフレームが任意の位置で自動的かつ簡単に固定でき、反転防止機構（ラチエット機構）の回動係止装置を解除しなければ元の方向へ戻らない方法を見出した。また、反転防止機構（ラチエット機構）の回動係止装置に施錠装置を施し、自動的かつ簡単に施錠でき、キーを使用して開錠しなければ折り畳んだ状態から元の方向に戻すことができない機構とした。さらに開錠作業がしやすいように錠装置をフレーム上部の位置とした。【選択図】        図２
2005212782.tif 000002
【特許請求の範囲】
【請求項１】
前フレームと後ろフレームと回動連結具（ヒンジ）にて構成され、回動連結具（ヒンジ）に反転防止機構（ラチエット機構）が施され、折り畳む方向の任意の位置で回動を係止することができ、回動係止装置を解除しなければ元の方向へは戻らず、前フレームと後ろフレームを重ね合わせるように折り畳んだ際に自動的に結束された状態となり、持ち運び及び保管の際に便利な折り畳み自転車用フレーム。
【請求項２】
回動連結具（ヒンジ）に施された反転防止機構（ラチエット機構）の回動係止装置に施錠装置が施され、折り畳む方向の任意の位置で回動を係止した際、自動的に施錠状態となり、キーを使用して開錠しないと元の方向へ戻すことができない請求項１の折畳み自転車用フレーム。
【発明の詳細な説明】
【技術分野】
【０００１】  本発明は、前フレームと後ろフレームを連結する回動連結具（ヒンジ）に反転防止機構（ラチエット機構）を施し、折り畳む方向の任意の位置で回動を係止することができ、回動係止装置を解除しなければ元の方向へは戻らず、前フレームと後ろフレームを重ね合わせるように折り畳む際に自動的に結束された状態となり、持ち運び及び保管の際に便利な折り畳み自転車用フレームに関する。【０００２】  回動連結具（ヒンジ）に施された反転防止機構（ラチエット機構）の回動係止装置に施錠装置を施し、折り畳む方向の任意の位置で回動を係止した際、自動的に施錠状態となり、キーを使用して開錠しないと元の方向へ戻すことができない折畳み自転車用のフレームに関する。
【背景技術】
【０００３】  一般に、折畳み自転車は、前フレームを後ろフレームに重ね合わせるように折り畳まれるが、折り畳んだ状態で結束あるいは固定するにはベルトまたはフックなどの道具が必要であった。また、前車輪と後ろ車輪を重ね合わさる部分に締結機構（例えば参考文献１及び２）を施したものもあるが、前車輪が自由に動くため、締結させる作業がスムーズにできなかった。また、折り畳む途中の任意の位置で固定することができなかった。【０００４】  一般的に折畳み自転車には施錠装置がないものが多いが、締結機構（例えば参考文献２）に施錠装置を施したものもあるが、前述のように前車輪と後ろ車輪を重ね合わせようとすると前車輪が自由に動くため、締結施錠する作業がスムーズにできないほか、錠装置の位置が前車輪と後ろ車輪に挟まれた低い位置のため、施開錠作業がやりにくかった。【０００５】
【参考文献１】
実用新案登録第３０７５７０８号
【参考文献２】
特願２００４−３３８４８９
【発明の開示】
【発明が解決しようとする課題】
【０００６】  一般的な折り畳み自転車は、前フレームと後ろフレームが重なり合うように折り畳む方式のものが多いが、折り畳んだ状態で固定する結束具がなく、折り畳んで持ち運ぶ際にバラバラになり持ちにくかった。そのため、マジックテープの付いたベルトやフック等で重ね合わせた前フレームと後ろフレームまたは前車輪と後ろ車輪を結束して持ち運ぶことがあった。また、前車輪と後ろ車輪が重ね合わさる部分に締結機構を施したものもあるが、前車輪が自由に動くため、締結させる作業がスムーズにできなかった。【０００７】  一般的に折畳み自転車には施錠装置がないものが多く、締結機構に錠装置を施したものもあるが、前述のように前車輪と後ろ車輪を重ね合わせるように折り畳む場合、前車輪が自由に動くため、締結作業がスムーズにできない欠点があった。また、錠装置の位置が前車輪と後ろ車輪に挟まれた位置のため、施開錠作業がやりにくかった。【０００８】  本発明は、折り畳んだ際に回動連結具（ヒンジ）に設けられた反転防止機構（ラチエット機構）により、折り畳む方向の任意の位置で回動を係止でき、折り畳んだ状態でバラバラにならず、また、その反転防止機構（ラチエット機構）に施錠装置を施し、キーを使用して開錠しなければ折り畳んだ状態から元の方向に戻すことができない機構を有する折畳み自転車用フレームの提供を目的とする。
【課題を解決する為の手段】
【０００９】  本発明は、折り畳み自転車用フレームの回動連結具（ヒンジ）に反転防止機構（ラチエット機構）を施し、前フレームを後ろフレーム側に重ね合わせるように折り畳む動作をするだけで、前フレームと後ろフレームが任意の位置で自動的かつ簡単に固定でき、反転防止機構（ラチエット機構）の回動係止装置を解除しなければ元の方向へ戻らない方法を見出した。
【００１０】  また、反転防止機構（ラチエット機構）の回動係止装置に施錠装置を施し、自動的かつ簡単に施錠でき、キーを使用して開錠しなければ折り畳んだ状態から元の方向に戻すことができない機構とした。さらに開錠作業がしやすいように錠装置をフレーム上部の位置とした。
【発明の効果】
【００１１】  前フレームを後ろフレームに重ね合わせるように折り畳む動作をするだけで、前フレームと後ろフレームが折り畳む方向の任意の位置で固定でき、回動係止装置を解除しなければ元の方向に戻らず、自動的に結束された状態となり、前フレームと後ろフレームがバラバラにならず、持ち運び及び保管の際、容易になった。
【００１２】  回動連結具（ヒンジ）の反転防止機構（ラチエット機構）に錠装置を施したことにより、自動的かつ簡単に施錠でき、キーを使用して開錠しなければ折り畳んだ状態から元の方向に戻すことができないため、勝手に使用されたり乗り逃げされる心配がなくなった。
【発明を実施するための形態】
【００１３】  以下に、本発明の折畳み自転車用フレームについて図面を参考にしながら詳細に説明する。
【００１４】  折り畳み自転車用フレームの回動連結具（ヒンジ）２の連結ピン４に、フレームを折り畳む方向には鈍角で折り畳んだ状態から元に戻す方向には鋭角な形状の歯先を有した歯車５を施し、回動連結具（ヒンジ）２の一方に固定され、回動連結具（ヒンジ）２のもう一方に反転防止機構（ラチエット機構）を施し、内部の係止具６はスプリング９にて常に歯車５の方向に圧接され、歯先の鈍角な方向には回転するが歯先の鋭角な逆方向には回転しない回動係止装置となっている。
【００１５】  折り畳む際は、回動連結具（ヒンジ）２の一端の連結固定レバー１０を外側へはずし、そのまま前フレーム１を後ろフレーム３に重ね合わせるように折り畳むが、反転防止機構が施されているため、折り畳む方向には回転するが逆方向には回転しない。
【００１６】  係止状態を解除するには、係止具６に併設されたカム７を回転させ、係止具６の一端を押圧することで係止具６が歯車５の歯先からはずされ、回動連結具（ヒンジ）２を自由に回動させることができるようになる。図４は、カム７を回転させ、係止状態を解除し、折り畳んだ状態から元の方向に戻す途中を示したものである。
【００１７】  係止具６を押圧するカム７は回転子８に軸着され、更に上部に取っ手を軸着し、取っ手を回すことでカムを回転させ係止状態を解除する。また、この回転子８にキーシリンダーを用いることでカム７の回転に施錠することができる。すなわち、キーを用いてキーシリンダー８を回転させなければ、カム７を回転させることができず、係止状態を解除できない。
【図面の簡単な説明】
【図１】本発明の折畳み自転車用フレームの回動連結具の上面図である。
【図２】本発明の折畳み自転車用フレームの回動連結具の折り畳む途中の上面図である。
【図３】本発明の折畳み自転車用フレームの回動連結具の折り畳んだ状態の上面図である。
【図４】本発明の折畳み自転車用フレームの回動連結具の係止状態を解除し、折り畳んだ状態から元の方向へ戻す途中の上面図である。
【図５】本発明の折畳み自転車用フレームの回動連結具の斜視図である。
【図６】本発明の折畳み自転車用フレームの側面全体図である。
【図７】本発明の折畳み自転車用フレームの折り畳んだ状態の側面図である。
【符号の説明】
１  前フレーム
２  回動連結具（ヒンジ）
３  後ろフレーム
４  連結ピン
５  歯車
６  係止具
７  カム
８  回転子（またはキーシリンダー）
９  スプリング
１０  連結固定レバー
５，６，７，８，９は、反転防止機構の構成部分
【図１】
2005212782.tif 000003
【図２】
2005212782.tif 000004
【図３】
2005212782.tif 000005
【図４】
2005212782.tif 000006
【図５】
2005212782.tif 000007
【図６】
2005212782.tif 000008
【図７】
2005212782.tif 000009